(57)【要約】      （修正有）【課題】毛自毛に十分な長さがないボブ、ミディアムヘアに対しても、簡単にアップスタイルを作れるような新しい髪留め（ヘアーロール）を提供する。【解決手段】本ヘアーロールは、毛髪が巻き付けられる円筒状の基体２と、基体の外周に装着されて、基体との間に前記毛髪を挟み込むクリップ３とからなり、クリップが、弾性材料によって薄肉円筒状に形成され、周壁の一部に全長にわたって不連続部３ａが設けられ、かつ、周壁の外面が多数の毛髪状体４によって覆われていることを特徴とする。【選択図】図１
0003174047.tif 000002
【実用新案登録請求の範囲】
【請求項１】
毛髪が巻き付けられる円筒状の基体と、この基体の外周に装着されて、この基体との間に前記毛髪を挟み込むクリップとからなり、このクリップが、弾性材料によって薄肉円筒状に形成されているとともに、周壁の一部に全長にわたって不連続部が設けられ、かつ、周壁の外面が多数の毛髪状体によって覆われていることを特徴とするヘアーロール。
【請求項２】
前記多数の毛髪状体が、前記クリップに一体に突設されていることを特徴とする請求項１に記載のヘアーロール。
【請求項３】
前記多数の毛髪状体が、前記クリップに一体に植設されていることを特徴とする請求項１に記載のヘアーロール。
【請求項４】
前記多数の毛髪状体が、薄肉シート上に突設若しくは植設されているとともに、この薄肉シートを前記クリップの周壁外面に貼着することによって、前記多数の毛髪状体が前記クリップに一体化されていることを特徴とする請求項１ないし請求項３の何れかに記載のヘアーロール。
【考案の詳細な説明】
【技術分野】
【０００１】
本考案は、頭髪のアレンジに用いられるヘアーロールに関するものである。
【背景技術】
【０００２】
従来、毛髪をアップスタイルにする際には、金属の留め具を有する髪留めが一般的に用いられている（特許文献１）。
他方、毛髪をロール状に癖付けするための一方法として、たとえば、板バネや形状記憶合金等からなる、毛髪の巻き付け方向の付勢力を備えた帯状体を用い、この帯状体を、その付勢力に抗して伸ばすとともに、この帯状体に毛髪を沿わせて固定した後に、この帯状体の付勢力を利用して前記毛髪をロール状に巻き込む技術が提案されている（特許文献２）。
【先行技術文献】
【特許文献】
【０００３】
【特許文献１】特開２００４−２４２８４４号公報
【特許文献２】特開平８−２５２１１１号公報
【考案の概要】
【考案が解決しようとする課題】
【０００４】
特許文献１に記載されるような従来の髪留めは、自毛に十分な長さがないボブ、ミディアムヘアに対しては、アップスタイルのためには使用し難い。特にこのような長さのヘアスタイルの人の場合、首周りの自毛を、おしゃれに簡単にまとめる方法がないため、夏場には、首周りがすっきりしない、あせもができるなどの悩みもあった。
このような状況において、ボブ、ミディアムの長さの人においてアップスタイルを簡単に作る方法が望まれていた。
なお、特許文献２に記載されるような技術においては、毛髪の癖付けに使用する器具は、癖付け後には取り外すことが前提となったデザインであるため、髪留めとしては、使用し難い。
【０００５】
本考案は、自毛に十分な長さがないボブ、ミディアムヘアに対しても、簡単にアップスタイルを作れるような新しい髪留めを提供することを課題とするものである。
【課題を解決するための手段】
【０００６】
本考案者は、従来、外出などするときには取り外すことを前提とした、いわゆる癖付け用の器具を、頭髪のアレンジのために用いる髪留めに応用することにより、新しいタイプの髪留め、すなわちヘアーロールを作ることに成功し、本考案を完成させた。
すなわち、本考案は、以下のとおりである。
【０００７】
本考案の請求項１に記載のヘアーロールは、毛髪が巻き付けられる円筒状の基体と、この基体の外周に装着されて、この基体との間に前記毛髪を挟み込むクリップとからなり、このクリップが、弾性材料によって薄肉円筒状に形成されているとともに、周壁の一部に全長にわたって不連続部が設けられ、かつ、周壁の外面が多数の毛髪状体によって覆われていることを特徴としている。
【０００８】
このような構成とすることにより、使用者は、毛髪を、その先端側から前記基体に巻き付けた後に、前記クリップを、その不連続部を広げるように拡径させつつ前記基体に装着すると、前記クリップが自らの弾性力によって縮径し、その弾性力によって前記毛髪を前記基体との間に挟み込むことができる。
【０００９】
さらに、クリップの表面に毛髪状体が設けられていることにより、ヘアーロールを毛髪に装着した状態において、このヘアーロールが目立たず、装着時の違和感が軽減され、自然なアップスタイルを簡単に作ることができる。
特に、比較的低い位置へのロールアップスタイルを簡単に作ることができ、上品なアレンジを可能にする。
【００１０】
このように、毛髪を基体に巻き付け、この基体にクリップを被せるといった簡便な作業によってアップスタイルを作ることができる。
【００１１】
ここで、前記毛髪状体を使用者の毛髪に合わせた色や質とすることにより、ヘアーロールを目立たなくすることができる。
【００１２】
ここで、前記基体やクリップおよび毛髪状体の素材を、合成樹脂や人毛等の比較的軽量な材料を選択することができるばかりでなく、構成部材が基体とクリップおよび毛髪状体と少ないことと相俟って、全体が軽量化される。
この結果、例えば外出中、装着している間の使用者の負担が軽減される。
また、前記基体やクリップを合成樹脂とすることで、金属アレルギー等によるかゆみの発生を低減することができる。
【００１３】
一方、ヘアーロールを取り外す場合には、まず、クリップを拡径方向に弾性変形させつつこのクリップを取り外す。
この状態で毛髪への押圧力が解除されるとともに、この毛髪が若干広がるように変形して、ロールの中心部に位置する基体との接触が弱められる。
したがって、前記基体を毛髪の中心部から容易に取り外すことができる。
【００１４】
このように、本考案によれば、軽い操作で容易にアップスタイルを作ることができるばかりでなく、その仕上げの状態を自然に見せることができる。
したがって、熟練された技術を必要とせず、気軽に頭髪アートを楽しむことができる。
【００１５】
本考案の請求項２に記載のヘアーロールは、請求項１に記載の前記多数の毛髪状体が、前記クリップに一体に突設されていることを特徴としている。
【００１６】
このような構成とすることにより、前記クリップをたとえば射出成形によって形成することができ、その生産コストを軽減することができる。
また、成形樹脂への着色が容易であることから、多種の毛髪色に容易に対応できる。
【００１７】
本考案の請求項３に記載のヘアーロールは、請求項１に記載の前記多数の毛髪状体が、前記クリップに一体に植設されていることを特徴としている。
【００１８】
このような構成とすることにより、前記毛髪状体に人毛や人工毛髪を用いることができ、使用者の毛髪との一体感を高めることができる。
【００１９】
本考案の請求項４に記載のヘアーロールは、請求項１ないし請求項３の何れかに記載の前記多数の毛髪状体が、薄肉シート上に突設若しくは植設されているとともに、この薄肉シートを前記クリップの周壁外面に貼着することによって、前記多数の毛髪状体が前記クリップに一体化されていることを特徴としている。
【００２０】
このような構成とすることにより、前記クリップを単一とし、毛髪状体の色や長さ、太さ、若しくは、密度を容易に選択あるいは調整することができる。
【考案の効果】
【００２１】
本考案によれば、毛髪を、その先端側から前記基体に巻き付けた後に、前記クリップを、その不連続部を広げるように拡径させつつ前記基体に装着すると、前記クリップが自らの弾性力によって縮径し、その弾性力によって前記毛髪を前記基体との間に挟み込むことができる。
【００２２】
このように、毛髪を基体に巻き付け、この基体にクリップを被せるといった簡便な作業によってアップスタイルを作ることができる。
【００２３】
前記基体やクリップおよび毛髪状体の素材を、合成樹脂や人毛等の比較的軽量な材料を選択することができるばかりでなく、構成部材が基体とクリップおよび毛髪状体と少ないことと相俟って、全体が軽量化される。
この結果、装着時の使用者の負担が軽減される。
【００２４】
さらに、クリップの表面に毛髪状体が設けられていることにより、ヘアーロールを毛髪に装着した状態において、このヘアーロールが目立たず、装着時の違和感が軽減され、自然なアップスタイルを簡単に作ることができる。
【００２５】
ここで、前記毛髪状体を使用者の毛髪に合わせた色や質とすることにより、ヘアーロールを目立たなくすることができるので、前述したような軽量化が可能であることと相俟って、このヘアーロールは、ヘアアクセサリとしての髪留めとして使用するのに極めて好適である。
【００２６】
一方、クリップを拡径方向に弾性変形させつつこのクリップを取り外す。
この状態で毛髪への押圧力が解除され基体との接触が弱められる。
したがって、前記基体を毛髪の中心部から容易に取り外すことができる。
【図面の簡単な説明】
【００２７】
【図１】本考案の一実施形態を示す分解斜視図である。
【図２】本考案の一実施形態を示すものでクリップの側面図である。
【図３】本考案の他の実施形態を示すもので、クリップの製作過程を示す側面図である。
【図４】本考案の一実施形態を示すもので、装着手順を示す斜視図である。
【図５】本考案の一実施形態を示すもので、装着状態を示す図である。
【図６】本考案の一実施形態を示すもので、装着状態を示す図である。
【考案を実施するための形態】
【００２８】
以下、本考案の一実施形態を図１および図２を参照して説明する。
これらの図において符号１は、本実施形態に係わるヘアーロールを示し、このヘアーロール１は、毛髪（Ｈ）が巻き付けられる円筒状の基体２と、この基体２の外周に装着されて、この基体２との間に前記毛髪（Ｈ）を挟み込むクリップ３とからなり、このクリップ３が、弾性材料によって薄肉円筒状に形成されているとともに、周壁の一部に全長にわたって不連続部３ａが設けられ、かつ、周壁の外面が多数の毛髪状体４によって覆われている。
【００２９】
ついで、これらの詳細につい説明すれば、前記基体２は、天然ゴムあるいは合成樹脂等によって形成されており、その周壁には多数の孔２ａが形成されている。
これらの孔２ａは、前記基体２の軽量化のために設けられたものである。
【００３０】
前記クリップ３は、天然ゴムあるいは合成樹脂等の弾性を有する材料を用いて形成されており、前記不連続部３ａが設けられていることにより、拡径方向へ押圧されて弾性的に拡径させられ、また、この押圧力を解除することにより、その弾性力により縮径させられるようになっている。
【００３１】
前記毛髪状体４は、本実施形態においては、前記クリップ３の周壁の外面に、突設若しくは植設によって一体に設けられており、前者の場合には、クリップ３の成形時に同一材料によって同時に設けられ、また、後者の場合には、クリップ３を成形した後に、その外面に人毛や人工毛髪を植え付けることによって設けられる。
【００３２】
そして、これらのクリップ３や毛髪状体４の色は任意に選択され、使用者が、自身の毛髪の色に合わせて選択できるようになされている。
【００３３】
また、前記毛髪状体４の長さや太さ、あるいは、密度等は、使用者の多様な要求に対応して任意に選択されかつ組み合わされるようになっている。
【００３４】
ついで、本実施形態に係わるヘアーロール１の使用方法について説明する。
使用者は、図４に示すように、毛髪をＨその先端部側から基体２の外面に巻き付ける。
【００３５】
毛髪Ｈを所望長さ巻き付けた後に、前記クリップ３を、その不連続部２ａを広げるように拡径させつつ、前記基体２に巻き付けられている毛髪Ｈに被せる（図５参照）。
【００３６】
ここで、前記クリップ３は自らの弾性力によって縮径方向に弾性変形することから、前記基体２に巻き付けられている毛髪Ｈが、前記基体２とクリップ３との間で挟持されて、図５に示すように、ロール状態に保持される。
【００３７】
また、取り外す場合には、前述した装着手順と逆の手順によって行なわれるが、前記クリップ３を取り外した際に、前記毛髪Ｈが僅かながら拡径方向に変形して、この毛髪Ｈと基体２との接触が緩められる。
【００３８】
このように、簡便な装着操作によって、アップスタイルへのアレンジを行うことができ、取り外しも簡便に行うことができる。
【００３９】
一方、基体２やクリップ３、また、毛髪状体４が軽量であることから、使用者への負担が軽く、長時間の装着が容易になる。
【００４０】
さらに、前記ヘアーロール１が軽量化され、かつ、クリップ３の表面が毛髪状体４によって覆われていることから、装着した状態において、前記ヘアーロール１と毛髪Ｈとに一体感が得られる。
したがって、ヘアーロール１を装着した状態において、このヘアーロール１が目立たず、自然なアップスタイルを作ることができる。
【００４１】
なお、前記実施形態において示した各構成部材の諸形状や寸法等は一例であって、設計要求等に基づき種々変更可能である。
【００４２】
前記多数の毛髪状体４を、図３に示すように、薄肉シート５上に突設若しくは植設し、この薄肉シート５を前記クリップ３の周壁外面に貼着することによって、前記多数の毛髪状体４を前記クリップ３に一体的に設けるようにしてもよい。
【００４３】
本考案のヘアーロールの取り付け形態を、図５及び図６に示す。
図５は、小さめのヘアーロールを３つ装着した例であり、図６は、長めのヘアーロールを１つ装着した例である。
このように本考案のヘアーロールを装着することで、ロールアップスタイルを簡単に楽しむことができる。
【符号の説明】
【００４４】
１  ヘアーロール
２  基体
２ａ  孔
３  クリップ
３ａ  不連続部
４  毛髪状体
５  薄肉シート
Ｈ  毛髪
【図１】
0003174047.tif 000003
【図２】
0003174047.tif 000004
【図３】
0003174047.tif 000005
【図４】
0003174047.tif 000006
【図５】
0003174047.tif 000007
【図６】
0003174047.tif 000008